(57)【要約】【課題】同報送信に関する通信の不達レポートを出力する場合においても、不達となった宛先を容易に確認することのできるファクシミリ装置を提供する。【解決手段】同報送信を行った宛先の中に通信結果が不達となった宛先があるときには（Ｓ１５のＹ）、不達レポートを出力設定内容に基づいて出力する。不達レポート出力する際に、全ての宛先の通信情報を出力する設定である場合は（Ｓ１６のＹ）、通信情報に基づいて出力する宛先の順番を決定し（Ｓ１７）、決定された情報に対応する各宛先の通信情報を順次読み出して不達レポートとして出力する（Ｓ１９）一方、不達となった宛先のみを出力する設定である場合は（Ｓ１６のＮ）、全ての宛先の中から、さらに不達となった宛先を検出し（Ｓ１８）、出力する順番を決定し、決定された情報に対応する各宛先の通信情報を順次読み出して不達レポートとして出力する（Ｓ１９）。【選択図】　　　図２
2004096605.tif 000002
【特許請求の範囲】
【請求項１】
ファクシミリ制御手順により通信する通信制御手段と、
前記通信制御手段により行われた通信に関する通信情報を通信毎に記憶する記憶手段と、
前記記憶手段に記憶された通信情報を出力する出力手段と、
前記通信情報の通信結果が不達となった宛先がある場合に出力される不達レポートの出力内容の設定を行う出力設定手段と、
前記記憶手段に記憶された通信情報の中から指定された情報を含む宛先情報を検出する検出手段と、
前記通信情報の通信結果に不達があるかを検出する不達検出手段と、
前記通信制御手段を介して複数の宛先に同一の情報を送信する同報送信手段と、
前記出力設定手段により通信結果に基づいて通信情報を出力する出力内容の設定がされているときに前記同報送信手段により同報送信を行い前記不達検出手段により不達が検出された場合、前記記憶手段から当該同報送信を行った宛先に関して前記検出手段により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御手段と、を備えることを特徴とするファクシミリ装置。
【請求項２】
前記出力内容の設定が前記同報送信を行った全ての宛先の通信情報を不達レポートに出力する設定であった場合は、前記不達レポート制御手段は、前記検出手段により検出された各宛先の通信結果に基づいて出力する順番を決定し、各宛先に対応する通信情報を前記記憶手段から読み出して当該決定された順番に基づいて前記出力手段により出力させることを特徴とする請求項１に記載のファクシミリ装置。
【請求項３】
前記出力内容の設定が前記同報送信を行った宛先のうち通信結果が不達となった宛先の通信情報のみを不達レポートに出力する設定であった場合は、前記不達レポート制御手段は、前記検出された各宛先の通信結果が不達となった宛先を前記検出手段により検出させ、当該不達となった宛先として検出された各宛先に対応する通信情報を前記記憶手段から読み出して前記出力手段から出力させることを特徴とする請求項１に記載のファクシミリ装置。
【請求項４】
前記不達レポート制御手段は、前記通信結果が不達となった宛先は不達となった理由に基づいて出力する順序を決定することを特徴とする請求項２または３に記載のファクシミリ装置。
【請求項５】
複数の宛先に同一の情報を送信する同報送信機能を有し、同報送信の通信結果を不達レポートとして出力するファクシミリ装置において、
同報送信による前記複数の宛先を、送信が成功した宛先と送信が不達となった宛先とに区別して並べ替えて前記不達レポートに出力することを特徴とするファクシミリ装置。
【請求項６】
複数の宛先に同一の情報を送信する同報送信機能を有し、同報送信の通信結果を不達レポートとして出力するファクシミリ装置において、
同報送信による前記複数の宛先のうち、送信が不達となった宛先のみを前記不達レポートに出力することを特徴とするファクシミリ装置。
【請求項７】
前記送信が不達となった宛先を、不達となった理由に基づいて並べ替えて前記不達レポートに出力することを特徴とする請求項５または６に記載のファクシミリ装置。
【請求項８】
ファクシミリ制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段とを有するファクシミリ装置が備えるコンピュータにインストールされ、前記コンピュータに、
前記記憶手段に記憶された通信情報の中から指定された情報を含む宛先情報を検出する検出機能と、
前記通信情報の通信結果に不達があるかを検出する不達検出機能と、
前記通信制御手段を介して複数の宛先に同一の情報を送信する同報送信機能と、
前記出力設定手段により通信結果に基づいて通信情報を出力する出力内容の設定がされているときに前記同報送信機能により同報送信を行い前記不達検出機能により不達が検出された場合、前記記憶手段から当該同報送信を行った宛先に関して前記検出機能により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御機能と、を実行させるプログラム。
【請求項９】
前記出力内容の設定が前記同報送信を行った全ての宛先の通信情報を不達レポートに出力する設定であった場合は、前記不達レポート制御機能は、前記検出機能により検出された各宛先の通信結果に基づいて出力する順番を決定し、各宛先に対応する通信情報を前記記憶手段から読み出して当該決定された順番に基づいて前記出力手段により出力させることをコンピュータに実行させる請求項８に記載のプログラム。
【請求項１０】
前記出力内容の設定が前記同報送信を行った宛先のうち通信結果が不達となった宛先の通信情報のみを不達レポートに出力する設定であった場合は、前記不達レポート制御機能は、前記検出された各宛先の通信結果が不達となった宛先を前記検出機能により検出させ、当該不達となった宛先として検出された各宛先に対応する通信情報を前記記憶手段から読み出して前記出力手段から出力させることをコンピュータに実行させる請求項８に記載のプログラム。
【請求項１１】
前記不達レポート制御機能は、前記通信結果が不達となった宛先は不達となった理由に基づいて出力する順序を決定することをコンピュータに実行させる請求項９または１０に記載のプログラム。
【請求項１２】
請求項８ないし１１の何れか一に記載のプログラムを格納したコンピュータ読取り可能な記憶媒体。
【発明の詳細な説明】
【０００１】
【発明の属する技術分野】
本発明は、ファクシミリ装置、プログラムおよび記憶媒体に関する。
【０００２】
【従来の技術】
従来のファクシミリ装置においては、入力された画情報を一度に複数の宛先に送るという同報送信機能を備えているものがある。この同報送信は同一の画情報を複数の宛先に送るため通信自体は宛先毎に行っている。そのため、通信結果に関する各種レポートを出力する場合、通常の通信であれば通信毎に出力されるが、同報送信に関するレポートを出力するときは、ユーザーが同報送信を行った全ての宛先を一度で確認できるようにするため、同報送信を行った全ての宛先の通信情報を１つにまとめてレポートを出力している。
【０００３】
また、従来のファクシミリ装置においては、通信結果に関する情報をユーザーに知らせるための各種レポートには、通信件数が所定数に達すると通信結果をまとめて出力する通信管理レポートや、１つのファクシミリ送信が完了するとその送信結果を出力する送信結果レポート等の各種レポートがある。これらのレポートのうちの１つとして、ファクシミリ送信が不達となったときに出力される不達レポートがあり、この不達レポートを出力することにより、どの宛先に対してのファクシミリ送信がどのような理由により不達となったかをユーザーは確認することができるようになっている。
【０００４】
【発明が解決しようとする課題】
このような従来のファクシミリ装置においては、同報送信を行った結果、不達となった宛先があった場合は、図１０に示すように、同報送信を行った全ての宛先についての通信結果情報が一覧として１つのレポート２１に出力されていた。
【０００５】
つまり、同報送信を１つの関連した通信として取り扱っているため、同報送信を行った全ての宛先の中に不達となった宛先があるか否かを判断し、同報送信した宛先の中に不達となった宛先を１つでも検出した場合は残りの宛先の通信結果については考慮せず、同報送信を行った全ての宛先についての通信結果情報を不達レポート２１として出力していた。そのため、正常に送信を完了した宛先も含めた全ての宛先についての通信結果情報が、１つの不達レポート２１として出力されていた。
【０００６】
この結果、不達レポートは不達となった宛先を確認できるようにするためのものであるにも関わらず、同報送信時の場合には正常に送信が完了した宛先と不達となった宛先とが混在したまま不達レポート２１として出力されていたため、例えば、１００の宛先に対して同報送信を行った場合などは、ユーザーはどの宛先がどのような理由により不達であったのかを非常に確認しづらいという不具合を生じていた。
【０００７】
すなわち、不達レポートを見たユーザーが一番欲しい情報である、どの宛先に対してどの様に対応すべきかという点が非常にわかりづらいという問題点があった。
【０００８】
そこで、本発明は、同報送信に関する通信の不達レポートを出力する場合においても、不達となった宛先を容易に確認することのできるファクシミリ装置を提供することを目的とする。
【０００９】
【課題を解決するための手段】
請求項１記載のファクシミリ装置は、ファクシミリ制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段と、前記記憶手段に記憶された通信情報の中から指定された情報を含む宛先情報を検出する検出手段と、前記通信情報の通信結果に不達があるかを検出する不達検出手段と、前記通信制御手段を介して複数の宛先に同一の情報を送信する同報送信手段と、前記出力設定手段により通信結果に基づいて通信情報を出力する出力内容の設定がされているときに前記同報送信手段により同報送信を行い前記不達検出手段により不達が検出された場合、前記記憶手段から当該同報送信を行った宛先に関して前記検出手段により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御手段と、を備えることを特徴とする。
【００１０】
請求項２記載の発明は、請求項１に記載のファクシミリ装置において、前記出力内容の設定が前記同報送信を行った全ての宛先の通信情報を不達レポートに出力する設定であった場合は、前記不達レポート制御手段は、前記検出手段により検出された各宛先の通信結果に基づいて出力する順番を決定し、各宛先に対応する通信情報を前記記憶手段から読み出して当該決定された順番に基づいて前記出力手段により出力させることを特徴とする。
【００１１】
請求項３記載の発明は、請求項１に記載のファクシミリ装置において、前記出力内容の設定が前記同報送信を行った宛先のうち通信結果が不達となった宛先の通信情報のみを不達レポートに出力する設定であった場合は、前記不達レポート制御手段は、前記検出された各宛先の通信結果が不達となった宛先を前記検出手段により検出させ、当該不達となった宛先として検出された各宛先に対応する通信情報を前記記憶手段から読み出して前記出力手段から出力させることを特徴とする。
【００１２】
請求項４記載の発明は、請求項２または３に記載のファクシミリ装置において、前記不達レポート制御手段は、前記通信結果が不達となった宛先は不達となった理由に基づいて出力する順序を決定することを特徴とする。
【００１３】
請求項５記載の発明のファクシミリ装置は、複数の宛先に同一の情報を送信する同報送信機能を有し、同報送信の通信結果を不達レポートとして出力するファクシミリ装置において、同報送信による前記複数の宛先を、送信が成功した宛先と送信が不達となった宛先とに区別して並べ替えて前記不達レポートに出力することを特徴とする。
【００１４】
請求項６記載の発明のファクシミリ装置は、複数の宛先に同一の情報を送信する同報送信機能を有し、同報送信の通信結果を不達レポートとして出力するファクシミリ装置において、同報送信による前記複数の宛先のうち、送信が不達となった宛先のみを前記不達レポートに出力することを特徴とする。
【００１５】
請求項７記載の発明は、請求項５または６に記載のファクシミリ装置において、前記送信が不達となった宛先を、不達となった理由に基づいて並べ替えて前記不達レポートに出力することを特徴とする。
【００１６】
請求項８記載の発明のプログラムは、ファクシミリ制御手順により通信する通信制御手段と、前記通信制御手段により行われた通信に関する通信情報を通信毎に記憶する記憶手段と、前記記憶手段に記憶された通信情報を出力する出力手段と、前記通信情報の通信結果が不達となった宛先がある場合に出力される不達レポートの出力内容の設定を行う出力設定手段とを有するファクシミリ装置が備えるコンピュータにインストールされ、前記コンピュータに、前記記憶手段に記憶された通信情報の中から指定された情報を含む宛先情報を検出する検出機能と、前記通信情報の通信結果に不達があるかを検出する不達検出機能と、前記通信制御手段を介して複数の宛先に同一の情報を送信する同報送信機能と、前記出力設定手段により通信結果に基づいて通信情報を出力する出力内容の設定がされているときに前記同報送信機能により同報送信を行い前記不達検出機能により不達が検出された場合、前記記憶手段から当該同報送信を行った宛先に関して前記検出機能により検出された宛先のなかに通信結果が不達となった宛先があるときには設定された前記出力内容に基づいて不達レポートに出力する宛先を決定し、当該決定された各宛先の通信結果に基づいて対応する通信情報を前記記憶手段から読み出して前記出力手段により出力させる不達レポート制御機能と、を実行させる。
【００１７】
請求項９記載の発明は、請求項８に記載のプログラムにおいて、前記出力内容の設定が前記同報送信を行った全ての宛先の通信情報を不達レポートに出力する設定であった場合は、前記不達レポート制御機能は、前記検出機能により検出された各宛先の通信結果に基づいて出力する順番を決定し、各宛先に対応する通信情報を前記記憶手段から読み出して当該決定された順番に基づいて前記出力手段により出力させることをコンピュータに実行させる。
【００１８】
請求項１０記載の発明は、請求項８に記載のプログラムにおいて、前記出力内容の設定が前記同報送信を行った宛先のうち通信結果が不達となった宛先の通信情報のみを不達レポートに出力する設定であった場合は、前記不達レポート制御機能は、前記検出された各宛先の通信結果が不達となった宛先を前記検出機能により検出させ、当該不達となった宛先として検出された各宛先に対応する通信情報を前記記憶手段から読み出して前記出力手段から出力させることをコンピュータに実行させる。
【００１９】
請求項１１記載の発明は、請求項９または１０に記載のプログラムにおいて、前記不達レポート制御機能は、前記通信結果が不達となった宛先は不達となった理由に基づいて出力する順序を決定することをコンピュータに実行させる。
【００２０】
請求項１２記載の発明のコンピュータ読取り可能な記憶媒体は、請求項８ないし１１の何れか一に記載のプログラムを格納している。
【００２１】
【発明の実施の形態】
以下、添付図面を参照しながら、本発明の一実施の形態を詳細に説明する。
【００２２】
まず、本実施の形態について通信装置であるファクシミリ装置を例に説明する。図１は、本実施の形態のファクシミリ装置１の構成を示すブロック図である。同図において、ファクシミリ装置１は、システム制御部２、ＲＯＭ３、ＲＡＭ４、スキャナ５、プロッタ６、時計回路７、画像メモリ８、操作表示部９、符号化復号化部１０、通信制御部１１、モデム１２、網制御部１３、検出部１４、及び、システムバス１５により構成されている。
【００２３】
システム制御部２は、ＣＰＵを有し、ＲＯＭ３に書き込まれた制御プログラムに従って、ＲＡＭ４を作業領域として使用しながら、装置各部を制御するマイクロコンピュータである。
【００２４】
ＲＯＭ３は、システム制御部２が上記装置各部を制御するための制御プログラムが記憶されているメモリであり、装置の基本処理プログラムや通信情報に関するレポート記録処理プログラム等の各種プログラムが格納されているとともに、これらの基本処理プログラム及び通信情報に関するレポート記録処理プログラム等を実行するのに必要な各種データやシステムデータ等が格納されている。即ち、本実施の形態では、ＲＯＭ３に後述するような各種機能を実現するためのプログラムが格納されており、このＲＯＭ３がプログラムを記憶した記憶媒体として機能している。このため、本実施の形態では、ＲＯＭ３が例えばＥＥＰＲＯＭやフラッシュメモリにより構成され、ＲＯＭ３に記憶されているプログラムが書換え自在とされている。なお、特に図示しないが、ネットワーク経由でプログラムをダウンロードさせる場合であれば、ネットワークインタフェースを付加すればよい。
【００２５】
ＲＡＭ４は、システム制御部２の作業領域として使用されるメモリであり、ワンタッチダイヤルや短縮ダイヤル等に対応する相手先電話番号、相手先名称等の相手先情報や、通信情報に関するレポートを記録出力するのに必要な情報、例えば、通信情報に関するレポートの各項目情報等も記憶する。また、本実施の形態のＲＡＭ４は記憶手段として機能し、後述するように通信情報を管理する通信管理テーブルを備え、各種通信情報を通信処理毎に関連付けて記憶する。なお、ＲＡＭ４は、図示しないバックアップ用回路によりバックアップされており、装置電源遮断時にも記憶内容は保持される。
【００２６】
スキャナ５は、例えば、ＣＣＤ（Ｃｈａｒｇｅ　Ｃｏｕｐｌｅｄ　Ｄｅｖｉｃｅ）を利用したラインイメージスキャナ５等が用いられており、３．８５本／ｍｍ、７．７本／ｍｍ、１５．４本／ｍｍ　等の所定の読み取り線密度で原稿画像を読み取って画情報を得るためのものである。
【００２７】
プロッタ６は、例えば、サーマル素子を利用したサーマル記録装置あるいは電子写真式記録装置等が用いられており、受信した画情報を、その線密度に応じて記録出力したり、スキャナ５で読み取った画情報を、その線密度に応じて記録出力（コピー動作）するためのものである。なお、本実施の形態では、このプロッタ６が後述する不達レポート等を出力する出力手段としても機能する。
【００２８】
時計回路７は、現在の日付、時刻の計時を行う一方、システム制御部２から設定された時定数をカウントダウンしてタイムアウトするとシステム制御部２にタイムアウトしたことを通知する、タイマ動作を行うものである。
【００２９】
画像メモリ８は、スキャナ５で読み取った画情報を、メモリ送信するために一時的にファイルとして蓄積したり、受信した画情報を、プロッタ６により記録するまでファイルとして一時的に蓄積したりするための一時的な記憶領域として使用されるものである。なお、蓄積されるファイルにはファイル番号が付けられ、通信管理情報としてＲＡＭ４中の通信管理テーブルに記憶される。
【００３０】
操作表示部９は、相手先電話番号や相手先名称等を入力するためのテンキー、スタートキー、ワンタッチダイヤルキー、及び、その他各種キーが配設され、当該各種キーにより装置の各種動作について設定が可能である一方、液晶表示装置等の表示器を備え、ユーザーに知らせるべき装置の動作状態や、各種メッセージを表示するものである。ここでは、各種キーと液晶表示部は別々のものとしているが、各種キーについてはタッチパネル上のキーとし、当該パネル上に表示部と各種キーを設けてもよい。また、不達レポートを出力するか否か、出力する場合は不達の宛先のみを出力するか否かの等の各種出力様式の設定も当該操作表示部９より行い、設定された各種出力様式はＲＡＭ４に記憶される。即ち、本実施の形態では、操作表示部９が不達レポートに関する出力内容を設定する設定手段としても機能する。
【００３１】
符号化復号化部１０は、画情報の伝送時間の短縮化及び画像メモリ８への画情報の蓄積の効率化等を図るためのものであり、所定の符号化方式に従って画情報を符号化し、また、符号化された画情報を復号化する。
【００３２】
通信制御部１１は、通信制御手段として機能し、モデム１２及び網制御部１３を制御して、相手ファクシミリ装置との間でファクシミリ制御信号を交換し、ファクシミリ通信手順を実行し、取得した各種通信情報をＲＡＭ４に記憶させ、通信終了後はシステム制御部２に通信が終了した旨の通知を行う。
【００３３】
モデム１２は、網制御部１３を介して公衆網に送信するデータを変調する一方、網制御部１３を介して公衆網から受信した信号を復調するものである。また、モデム１２は、相手先番号に対応するＤＴＭＦ信号の送出も行う。
【００３４】
網制御部１３は、回線に接続されて、回線の極性反転の検出、回線の直流ループの閉結・解放や、回線解放の検出、発信音の検出、ビジートーン等のトーン信号の検出、呼出信号の検出等の回線との接続制御や、相手先番号に対応する選択信号の、２０ＰＰＳまたは１０ＰＰＳのダイヤル回線に対応したダイヤルパルス信号による送出を行うものである。
【００３５】
検出部１４は、システム制御部２から指定された情報、例えば、通信結果情報、通信原稿のファイル番号等の情報を基に、通信管理テーブルに記憶された通信情報の中から該当する情報を有する通信情報を検索し、当該検索結果情報、例えば、該当する情報を有する通信情報があったか否か、また、該当する情報を有する通信情報があった場合はどの通信が該当するのかを示す情報や、当該通信結果情報等をＲＡＭ４に記憶させ、システム制御部２に通知する。
【００３６】
システムバス１５は、上記各部がデータをやり取りするための信号ラインである。
【００３７】
以上のように構成されるファクシミリ装置において、ＲＯＭ３に格納された制御プログラムに基づきシステム制御部２により実行される同報送信時の不達レポートの出力制御処理について図２を参照して説明する。
【００３８】
まず、スキャナ５に送信原稿がセットされたかを監視する（ステップＳ１）。スキャナ５に原稿がセットされると（ステップＳ１のＹ）、操作表示部９から宛先ファクシミリ装置のファクシミリ番号等の宛先情報が複数入力されたかを監視する（ステップＳ２）。操作表示部９からファクシミリ番号等の宛先情報が複数入力されると（ステップＳ２のＹ）、操作表示部９からスタートキーの押下を監視し（ステップＳ３）、スタートキーが押下されると（ステップＳ３のＹ）、当該入力された操作に応じた処理を行う。
【００３９】
ここで、システム制御部２は、操作表示部９から入力された宛先情報、例えば、送信宛先情報（送信相手先ファクシミリ番号）等を取得して、ＲＡＭ４に記憶されている通信管理テーブルに記憶させた後、網制御部１３に当該宛先のうち１つの宛先へ発呼させ、スキャナ５により原稿を読み取らせる（ステップＳ４）。
【００４０】
そして、スキャナ５の読み取った原稿を順次画像メモリ８を介して符号化復号化部１０に転送し、符号化復号化部１０で、符号化した後、通信制御部１１、モデム１２及び網制御部１３を介し回線に送出し、回線を介して相手先へ送信する（ステップＳ５）。
【００４１】
通信制御部１１は、通信が終了するまでは引き続き画情報を送信し、通信が終了すると、通信が終了した旨の通知をシステム制御部２に行う。システム制御部２は、通信が終了した旨の通知を通信制御部１１から受けると（ステップＳ６のＹ）、全てのページの送信が正常に終了し、通信が完了したかを判断するために各発呼時の通信結果情報のエリアに記憶された通信結果情報をチェックする（ステップＳ７）。
【００４２】
ここで、図３にＲＡＭ４に記憶されている通信管理テーブル１６を示す。同図において、通信管理テーブル１６には各通信処理の通信情報が各レコード番号に対応して記憶されており、当該通信情報は当該レコード番号により管理される。
【００４３】
また、通信管理テーブル１６に記憶される通信情報は各種情報により構成され、これらの各種情報には、単数または複数のページからなる通信原稿を読み取る毎に当該通信原稿に対して割り付けられるファイル番号情報、通信が送信であるのか受信であるのかを示す送受信情報、通信日や通信開始時刻や通信時間を示す時間情報、通信した相手先を示す通信相手先情報、Ｇ３やＧ４等の通信形態に関する通信モード、および、メモリー送信や時刻指定送信等のファイルの通信モードを示す通信モード情報、指定時刻や納期時刻等の設定されているオプション内容を示す付加情報、通信原稿の枚数を示す通信原稿枚数情報、通信が完了した原稿枚数を示す通信完了枚数情報、通信が完了したときの通信完了結果を示す通信結果情報、さらに、各発呼時の通信結果を示す各発呼時の通信結果情報があり、これらの情報が対応する各エリアに記憶されている。
【００４４】
なお、本実施の形態では、発呼してから回線が切断されるまでを１回の通信とし、回線が切断され１回の通信が終わることを通信が終了したという。また、ある宛先に対してある原稿を送信する際に、当該宛先に対して全てのページを正常に送信し、通信が終了したとき、通信が正常に完了したものと判断し、一方、当該宛先に対して全てのページを正常に送信できずに、通信が終了したとき、当該宛先に対しての通信は通信エラーであると判断する。通信エラーと判断した当該宛先に対しては再発呼を行い当該再発呼回数が所定回数（本実施の形態では５回を例として説明する）に達したとき、当該宛先に対しての通信が不達となったものと判断する。そして、通信が正常に完了した場合、あるいは、通信の不達となった場合は当該宛先に対しての通信が完了したものとする。
【００４５】
また、これら通信が正常に終了したときや、何らかの理由により通信が正常に終了せずに通信エラーとなったときの各々の通信結果については対応するコード（本実施の形態では番号を例として説明する）が付与されている。これらの通信結果に対応する各コードは、通信が正常に終了したときの番号を（０）とし、また、通信エラーとなった理由が、通信が途中で中断したときの番号を（１）、相手先ファクシミリ装置が話し中のときの番号を（２）、相手ファクシミリ装置の応答がないときの番号を（３）、相手先がファクシミリ装置ではないときの番号を（４）とし、これらの番号が通信管理テーブル１６の各発呼時の通信結果情報のエリアに記憶される。
【００４６】
例えば、図３のレコード番号３の通信情報に関して、図４（ａ），（ｂ）を用いて説明する。図３において、レコード番号３の宛先に関しては、５回再発呼を行っているため、通信が完了したものであると判断され、通信結果のエリアに最新の発呼である５回目の発呼に対する通信結果のコードである（１）が記憶されているが、これが最新の発呼が４回目までしか行われていなかった時点では通信が完了していないため、図４（ａ）に示すように、通信結果のエリアには何も記憶されていない。その後、５回目の発呼を行った結果、通信が中断してエラーとなり通信結果が確定すると、図４（ｂ）に示すように、通信制御部１１は当該通信結果のコードである（１）を各発呼時の通信結果情報の５回目のエリアに記憶させる。同様に、通信開始時刻、通信時間、通信完了枚数についても各々のエリアに記憶させ、通信が終了した旨の通知をシステム制御部２へ行う。そして、システム制御部２が、当該宛先に対しての発呼が５回目であるため通信が完了したものと判断すると、図３に示すように、通信完了と判断したときの通信結果のコードである（１）を通信結果情報のエリアに記憶させることになる。
【００４７】
なお、本実施の形態では、発呼を行う毎に変更される、または、変更される可能性のある情報、例えば、時刻情報や通信完了枚数等については、最新の発呼に対応する情報が通信制御部１１により各々のエリアに上書きして記憶されることとする。このため、システム制御部２は通信結果情報のエリアをチェックすることで当該宛先への通信が完了しているかを判断し、また、各発呼時の通信結果情報のエリアをチェックすることで発呼回数と通信エラーの内容を判断する。
【００４８】
このステップＳ７で、全てのページの通信が正常に完了していると判断したときには、当該各発呼時の通信結果情報を通信管理テーブル１６の通信結果情報のエリアに記憶させる（ステップＳ８）。
【００４９】
その後、システム制御部２は、当該原稿を送信する宛先として指定された全ての宛先に対して通信を完了したかどうかを判断するため、検出部１４を通じて、同一ファイル番号が付与されている宛先を検出し、当該検出された宛先の通信結果情報のエリアをチェックする（ステップＳ９）。
【００５０】
まだ通信が完了していない宛先が１つでも存在するときには、ステップＳ４へ戻り、通信が完了していない宛先に対して発呼を行う。
【００５１】
一方、ステップＳ７で、全てのページの通信が正常に完了していないときには、当該通信が通信エラーであるとして、当該宛先に対して発呼が所定回数に達しているか判断するために通信管理テーブル１６の発呼回数と通信結果情報のエリアをチェックする（ステップＳ１０）。
【００５２】
ステップＳ１０で、当該宛先への発呼回数が所定回数である５回に達していない場合は当該宛先に対しての通信処理を一旦終了し、その後、ステップＳ９の処理を行う。
【００５３】
一方、ステップＳ１０で、発呼回数が所定回数である５回に達している場合は、当該宛先に対しての通信は不達であると判断し、この５回目の発呼のときの通信結果を通信結果情報のエリアに記憶させ、当該宛先に対しての通信を完了とし（ステップＳ１１）、その後、ステップＳ９の処理を行う。
【００５４】
ここで、ステップＳ７で、当該宛先への通信が正常に完了したと判断されるか、または、ステップＳ１０で、当該宛先への発呼回数が所定回数である５回に達して不達であると判断され、当該宛先への通信結果が最終的に確定するまでは当該宛先に対しての通信は完了していないものとし、発呼回数が５回に達するまで当該宛先に対して再発呼が行われるものとする。
【００５５】
なお、入力された全ての宛先への通信が完了するまで当該原稿は画像メモリ８に記憶されているため、再発呼時には原稿を再度読み込む必要はない。
【００５６】
また、システム制御部２は、不達を判断するとき発呼回数を基に判断しているが、当該宛先に対しての最初の発呼後に、時計回路にタイマを起動させ、所定時間が経過するまでは発呼回数に関係なく何度でも再発呼を行い、所定時間が経過した場合に不達であると判断してもよく、さらに、これらの判断条件を組み合わせ、発呼回数が所定回数に達するか、または、所定時間が経過した場合に不達であると判断してもよい。なお、当然のことながら発呼回数に関しては５回に限定されることはなく、各国の通信規格に準じた範囲であれば使用状況に応じて設定可能とすることもできる。
【００５７】
これらのステップＳ２〜Ｓ１１の一連の処理が同報送信手段又は同報送信機能として実行される。このうち、ステップＳ１０のＹ、Ｓ１１の処理が不達検出手段又は不達検出機能として実行される。また、通信管理テーブル１６に記憶された通信情報の中から同一ファイル番号が付与されている宛先を検出するステップＳ９の処理は検出部１４により検出手段又は検出機能として実行される。
【００５８】
次に、ステップＳ９で、全ての宛先に対して通信が完了すると、不達レポートを出力する設定であるかをチェックし（ステップＳ１２）、不達レポートを出力する設定ではないときは（ステップＳ１２のＮ）、同報送信を終了する。
【００５９】
一方、不達レポートを出力する設定であるときは（ステップＳ１２のＮ）、検出部１４を通じて、上記同報送信の送信原稿のファイル番号に基づき通信管理テーブル１６の当該ファイル番号のエリアをチェックし、設定された当該ファイル番号を有する宛先のレコード番号を検出し、検出された宛先のレコード番号をＲＡＭ４に記憶させる（ステップＳ１３）。さらに検出部１４により当該検出された宛先の通信結果のエリアをチェックし、通信結果が不達となった宛先があればそれを検出し、その検出された宛先のレコード番号をＲＡＭ４に記憶させる（ステップＳ１４）。これらのステップＳ１３，Ｓ１４の処理は検出部１４により検出手段又は検出機能として実行される。このような処理を経た後、検出された結果に基づき不達となった宛先があるかをチェックする（ステップＳ１５）。
【００６０】
全ての宛先に対して正常に通信を完了しているときは（ステップＳ１５のＮ）、処理を終わる。一方、不達となった宛先が１つでもあるときは（ステップＳ１５のＹ）、不達レポートに当該同報送信に関する全ての宛先の通信情報を出力する設定になっているかをチェックする（ステップＳ１６）。
【００６１】
全ての宛先の通信情報を出力する設定であるときは（ステップＳ１６のＹ）、上記検出された宛先を各宛先の通信結果情報、具体的には、正常に通信を完了した宛先であるか、不達となった宛先であるかに基づき出力する順番を決定し、出力する宛先のレコード番号と順番をＲＡＭ４に記憶させる（ステップＳ１７）。
【００６２】
次に、このＲＡＭ４に記憶された順番、および、不達レポートの出力様式に基づいて各宛先のレコード番号に対応する通信情報を通信管理テーブル１６から読み出し、当該通信情報を不達レポートとしてプロッタ６より出力させて処理を終了する（ステップＳ１９）。
【００６３】
なお、当該通信情報を読み出すとき、当該通信相手先情報である電話番号に対応する相手先名称がワンタッチダイヤル、短縮ダイヤル等に登録されているときには相手先として当該相手先名称を出力し、また、同様に当該同報送信を時刻指定により送信した場合は、通信モードとして時刻指定を出力し、付加情報として指定時刻を出力してもよい。
【００６４】
ここで、図５に、出力する順番を不達となった宛先を先にして出力したときの不達レポート１７の一例を示す。なお、出力する順番はこれに限られるものではなく、例えば、正常に通信を完了した宛先を先に出力してもよい。
【００６５】
また、ステップＳ１６で、全ての宛先の通信情報を出力する設定ではないときは、上記検出された宛先のうち通信結果情報が不達となった宛先の通信情報のみを不達レポートして出力する出力内容の設定であるため、上記検出された宛先の中から通信結果情報が不達となった宛先を検出し、その検出された宛先のレコード番号をＲＡＭ４に記憶させ（ステップＳ１８）、その後は、全ての宛先の通信情報を出力する場合と同様にステップ１９の処理を行い終了する。
【００６６】
これらのステップＳ１２のＹ〜Ｓ１９の処理が不達レポート制御手段又は不達レポート制御機能として実行される。
【００６７】
ここで、図６に全ての宛先の通信情報を出力するという出力内容の設定ではないとき、つまり、不達となった宛先の通信情報のみを出力するという出力内容の設定のときに出力される不達レポート１７の一例を示す。
【００６８】
なお、本実施の形態においては、出力する順番を決定するにあたり、不達となった理由については考慮していないが、図７の不達レポート１７に示すように、不達となった宛先については、さらに不達となった理由に基づいて出力する順番を決定してもよく、このように出力する順番を決定することで、再発呼すべき宛先（例えば通信が途中で中断した宛先）と、宛先番号を確認すべき宛先（例えば相手先がファクシミリ装置ではないとされた宛先）とが確認しやすくなる。この制御は、図８の不達レポート１７に示すように、不達となった宛先の通信情報のみを出力する場合についても同様に行うことができる。
【００６９】
また、不達レポートの出力様式の設定に関しては、通信毎にユーザーが選択してもよく、このように通信毎に選択できることで、通信を行った各ユーザーが必要とする情報を記載した出力様式で不達レポートを出力することができる。
【００７０】
なお、これらの不達レポートに関する出力様式の各設定項目については、図９に示すように、１つのリスト１８としてプロッタ６より出力することや、または、操作表示部９に表示することで、ユーザーが不達レポートに関する出力様式の各設定項目を一目で確認できる。
【００７１】
さらに、通信情報として管理する項目はこれらに限定されるものではなく、また同様に、不達レポートに出力する各項目に関しても、これらに限定されるものではない。
【００７２】
また、本実施の形態では、同一のファイル番号を取り扱う場合について説明したが、送信すべきファイル番号が複数ある場合については並列処理が可能であり、これにより通信を行う順番が入れ替わることもある。例えば、同一のファイル番号を有する宛先に対しては発呼を所定間隔あけて行ったり、あるいは、同一の宛先への発呼である場合は発呼回数に応じて発呼間隔をあけることで、当該間隔を利用して、他のファイル番号を有する宛先に対して通信を行うことができるようにしてもよい。
【００７３】
また、本実施の形態では、１つの通信管理テーブル１６で実行中の通信から、完了した通信まで全ての通信情報を管理しているが、例えば、実行中の通信の通信情報を管理するテーブルと、完了した通信の通信情報を管理するテーブルに分けて制御を行ってもよい。
【００７４】
また、本発明のファクシミリ装置としては、ファクシミリ機能を主としたものに限らず、いわゆる複合機等であってもよく、要は、同報送信機能及び印字等の出力機能を備える機器であれば同様に適用することができる。
【００７５】
【発明の効果】
以上説明したように本発明によれば、各宛先の通信結果に基づいて不達レポートを出力することができるため、従来のように不達レポートに正常に送信が完了した宛先と不達となった宛先が混在したまま出力されることがなく、容易に各宛先の通信結果を確認することができる。
【００７６】
また、不達レポートに全ての宛先を出力するという出力内容の設定になっている場合は、正常に送信が完了した宛先であるか、不達となった宛先であるかに分けて並べて出力するため、同報送信を行った全ての宛先の送信結果を確認でき、さらに、どの宛先が不達であったのかを容易に確認することができる。
【００７７】
また、同報送信時に不達となった宛先が存在した場合であっても不達レポートには不達となった宛先のみを出力することができるため、従来のように不達レポートに正常に送信が完了した宛先と不達となった宛先が混在したまま出力された中から、いちいち不達となった宛先を探す必要が無く、再送信を行いたい宛先を一目で確認することができる。
【００７８】
また、不達となった理由に基づいて並べ替えて出力することができるため、再送信すべき宛先（例えば通信が途中で中断した宛先）と、宛先番号を確認すべき宛先（例えば相手先がファクシミリ装置ではないとされた宛先）とがさらに確認しやすくなる。
【図面の簡単な説明】
【図１】本発明の一実施の形態を適用したファクシミリ装置のブロック図である。
【図２】不達レポートの出力制御処理例を示すフローチャートである。
【図３】通信管理テーブルについて示す図である。
【図４】通信管理テーブルへ記憶する場合についての遷移状態を示す図である。
【図５】同報送信を行った全ての宛先の通信情報を通信結果情報に基づいて並べ出力した不達レポート例を示す平面図である。
【図６】同報送信を行った宛先のうち通信結果情報が不達となった宛先の通信情報のみを出力した不達レポート例を示す平面図である。
【図７】図４において、不達となった宛先を不達となった理由に基づいて並べて出力した不達レポート例を示す平面図である。
【図８】図５において、不達となった宛先を不達となった理由に基づいて並べて出力した不達レポート例を示す平面図である。
【図９】不達レポートに関する各種設定リスト例を示す説明図である。
【図１０】従来の不達レポートの一例を示す平面図である。
４　記憶手段
６　出力手段
９　出力設定手段
１１　通信制御手段
１４　検出手段
１７　不達レポート
【図１】
2004096605.tif 000003
【図２】
2004096605.tif 000004
【図３】
2004096605.tif 000005
【図４】
2004096605.tif 000006
【図５】
2004096605.tif 000007
【図６】
2004096605.tif 000008
【図７】
2004096605.tif 000009
【図８】
2004096605.tif 000010
【図９】
2004096605.tif 000011
【図１０】
2004096605.tif 000012